(57)【特許請求の範囲】
【請求項１】
無線及び有線にて通信可能なネットワーク接続機器であって、アンテナ部及び無線部を備えた無線端末を嵌め合わせ可能な凹部を本体のほぼ直行する少なくとも２面または３面にわたって形成すると共に、前記凹部の奥側面に開口部を形成し、無線端末を前記凹部の開口部を通して本体の内部へ挿入して本体内に保持されたプリント基板に電気的接続及び固定可能とし、無線端末を本体内に電気的接続及び固定した際に、前記プリント基板の少なくとも前記無線端末のアンテナ部及び無線部と重なる部分は内外層共に導体部を設けない、または切り欠き部を設けることを特徴とするネットワーク接続機器。
【発明の詳細な説明】
【０００１】
【発明の属する技術分野】
本発明は家庭内や小規模のオフィスなどに存在する無線端末を備えたネットワーク接続機器に関するものである。
【０００２】
【従来の技術】
近年、インターネットの普及と共に接続が容易な接続機器が求められており、その中で無線端末を持ったネットワーク接続機器が市場に投入され始めている。
【０００３】
図１９は従来のネットワーク接続機器の外観斜視図であり、図２０は従来のネットワーク接続機器の横断面図である。
【０００４】
図１９、図２０に示す従来の無線端末を有するネットワーク接続機器は、各種データを、無線端末１間及び有線にて通信可能なネットワーク接続機器となっており、前記無線端末１の後面部１ａには無線端末のコネクター部８を設けてあり、本体４のある側面部２７には無線端末１が挿入可能な開口部６が形成され、また、本体４の内部にはプリント基板７が保持され、プリント基板７には本体のコネクター部９を実装している。そして無線端末１は本体４の開口部６に挿入することにより、無線端末１の無線端末のコネクター部８が本体４のプリント基板７の本体のコネクター部９に電気的に接続され、かつ、固定される構成となっている。この時、無線端末１を本体４に挿入及び接続した際に無線端末１のアンテナ部２または無線部３は、図２０に示すように本体４内のプリント基板７と重ならないように本体４から突き出た構成となっている。
【０００５】
以上の構成により、無線端末１のアンテナ部２または無線部３は本体４内に配置されたプリント基板７の導体部と重ならない為、アンテナ部２への影響を抑え、かつ電気的ノイズ等の影響を受けなくすることで、無線の到達距離を確保している。
【０００６】
また、この無線端末１が本体４に固定された状態で、ケーブルを通して有線インターフェース１２からのデータは、本体４の内部のプリント基板７にて信号処理され、無線端末１内の無線部３を通じて送信される。受信の場合は、無線端末１から入力された信号が本体４の内部のプリント基板７にて信号処理され、有線インターフェース１２へ送られる。
【０００７】
【発明が解決しようとする課題】
このように従来のネットワーク接続機器は無線端末が本体から無線端末のアンテナ部及び無線部と本体内のプリント基板が重ならないよう、一部大きく突き出しているため、デザイン面で大変見苦しく、また本体の開口部と無線端末との間に隙間を生じるため、異物が混入しやすい。また、本体開口部に無線端末を挿入する際には、挿入の為のガイドがなく作業性が悪いものであった。
【０００８】
本発明は、上記課題を解決するもので、デザイン性の向上、異物混入の防止、無線端末を挿入する際の作業性の向上を図り、かつ無線の到達距離を確保することを目的としている。
【０００９】
さらに、無線端末とは別に外部のアンテナ装置を用いる場合のデザイン性の向上を図ることを目的としている。
【００１０】
【課題を解決するための手段】
この課題を解決するために本発明は、無線及び有線にて通信可能なネットワーク接続機器であって、アンテナ部及び無線部を備えた無線端末を嵌め合わせ可能な凹部を本体のほぼ直行する少なくとも２面または３面にわたって形成すると共に、この凹部の奥側面に開口部を形成し、無線端末を凹部の開口部を通して本体の内部へ挿入して本体内に保持されたプリント基板に電気的接続及び固定可能とし、無線端末を本体内に電気的接続及び固定した際に、プリント基板の少なくとも無線端末のアンテナ部及び無線部と重なる部分は内外層共に導体部を設けない、または切り欠き部を設けることを特徴とする。
【００１１】
【発明の実施の形態】
無線及び有線にて通信可能なネットワーク接続機器であって、アンテナ部及び無線部を備えた無線端末を嵌め合わせ可能な凹部を本体のほぼ直行する少なくとも２面または３面にわたって形成すると共に、この凹部の奥側面に開口部を形成し、無線端末を凹部の開口部を通して本体の内部へ挿入して本体内に保持されたプリント基板に電気的接続及び固定可能とし、無線端末を本体内に電気的接続及び固定した際に、プリント基板の少なくとも無線端末のアンテナ部及び無線部と重なる部分は内外層共に導体部を設けない、または切り欠き部を設けるように構成されるため、無線端末を本体に接続及び固定した際に、アンテナ部に対する影響を抑えることができ、また本体内部のプリント基板から無線端末のアンテナ部及び無線部への電気的ノイズ等の影響を防止することができ、無線端末の到達距離及び指向性の性能劣化を容易に防止することができる。さらに、プリント基板に切り欠き部を設けるという構成にした場合、プリント基板を形成する誘電体材料の影響を無くすこともできる。
【００１２】
以下、本発明の実施の形態について、図を参照しながら説明する。
【００１３】
（実施の形態１）
図１は本発明の実施の形態１に係わるネットワーク接続機器の外観斜視図、図２は同ネットワーク接続機器の縦断面図でり、図３は同ネットワーク接続機器の横断面図である。また、図４は同ネットワーク接続機器のプリント基板図である。
【００１４】
図１、図２、図３、図４に示すようにネットワーク接続機器は、各種データを、無線端末間（本体に接続される無線端末と図示しない他の無線端末間）及び有線にて通信可能なネットワーク接続機器である。
【００１５】
図２に示すように無線端末１は内部にはアンテナ部２と無線部３を有しており、本体４は前記無線端末１を収納可能な大きさに形成されている。
【００１６】
本体４には直方体のほぼ直交する２面にわたって、凹部５が形成されており、凹部５の大きさは、無線端末１の長さ方向の約半分が嵌まり合う程度が好ましいが、特に限定をするものではない。
【００１７】
尚、この凹部５は本体４の端部が解放された状態になるように配置されていればよく、直方体のほぼ直交する２面に形成されると限定されるものではない。
【００１８】
本体４も、直方体に限定されるものではなく、適宜カーブが設けられたものや、曲面を利用したデザインであっても良い。
【００１９】
さらに、凹部５の奥側面側５ａには無線端末１が本体４内に挿入可能な開口部６を形成している。また、前記凹部５の幅は無線端末１が本体４に接続及び固定された際に、無線端末１を指でつかむことができる程度あることが好ましいが、特に限定をするものではない。
【００２０】
本体４の内部には、プリント基板７を保持してあり、このプリント基板７には、無線端末１の後面部１ａに備えられた無線端末のコネクター部８と電気的接続が可能な本体のコネクター部９を実装している。さらに、無線端末１が本体４に接続及び固定された際に無線端末１のアンテナ部２及び無線部３と前記プリント基板７との重なる部分に導体部を設けていない部分１０（電気部品、電源、グランド、信号パターン等の全てを含む）を備える。尚、プリント基板７の導体部を設けない部分１０はプリント基板７の表層（表裏）及び内層全てである。
【００２１】
この時、導体部を設けていない部分１０の大きさは、少なくとも無線端末１のアンテナ部２及び無線部３の大きさよりも大きくする必要がある。
【００２２】
以上の構成において、無線端末１は本体４の凹部５に嵌め込まれ、かつ、後面部１ａを開口部６に挿入し、無線端末１の後面部１ａに備えられた無線端末のコネクター部８を本体４の内部に保持されたプリント基板７の本体のコネクター部９と接続することにより、本体４の凹部に固定される。この無線端末１が本体４に固定された状態で、本体４の内部に保持されたプリント基板７にて信号処理されたデータが無線端末１を通じて送信され、無線端末１から入力された信号が本体４の内部のプリント基板７にて信号処理される。この時、本体４内部に保持されたプリント基板７の導体部を設けていない部分１０により、アンテナ部２に対する影響を抑えることができ、また前記プリント基板７の回路が無線端末１のアンテナ部２及び無線部３に対し、より離れた位置に配置されている為、無線端末１はプリント基板７からの電気的ノイズに影響されることなく常に正常に動作することができる。
【００２３】
さらに、本体４を壁掛け、縦置き及び横置きに設置した時でも、本体４内のプリント基板７の回路と無線端末１のアンテナ部２及び無線部３の距離は常に一定であり、無線の動作に変化はない。
【００２４】
このように無線端末１は、本体４の凹部５内に接続および固定され、無線端末１の本体４への着脱性を損なわず、さらに本体４内部に保持されたプリント基板７の一部に導体部を設けていない部分１０を備えることにより、無線端末１を本体４に接続及び固定した際に、アンテナ部２に対する影響を抑えることができ、また本体４内部のプリント基板７から無線端末１のアンテナ部２及び無線部３への電気的ノイズ等の影響を防止することができ、無線端末１の到達距離及び指向性の性能劣化を容易に防止することができる。
【００２５】
尚、無線端末１を本体４から一部突き出した構成にすることも可能であり、さらに凹部５内にて本体４に電気的接続及び固定された無線端末１と凹部５を遮蔽するカバー部１８を備えた構成も可能である。
【００２６】
（実施の形態２）
図５は本発明の実施の形態２に係わるネットワーク接続機器の外観斜視図、図６は同ネットワーク接続機器の縦断面図でり、図７は同ネットワーク接続機器の横断面図である。また、図８は同ネットワーク接続機器のプリント基板図である。
【００２７】
本実施の形態は前記実施の形態１の構成において、本体４内部に保持されたプリント基板７の一部を切り欠いた構成に特徴を有する。
【００２８】
図５、図６、図７、図８に示すように、無線端末１を本体４の開口部６を通して本体４内部に保持されたプリント基板７上に実装された本体のコネクター部９に接続固定された時、無線端末１のアンテナ部２及び無線部３とプリント基板７の重なる部分に切り欠き部分１１を備えている。
【００２９】
このように本実施の形態においては、本体４内部に保持されたプリント基板７の一部を切り欠き部分１１を備えることにより、無線端末１を本体４に接続及び固定した際に、プリント基板７を形成する誘電体材料の影響も無くすことができ、無線端末１の到達距離の性能劣化を容易に防止することができるという効果を有する。
【００３０】
（実施の形態３）
図９は、本発明の実施の形態３に係わるネットワーク接続機器の外観斜視図であり、図１０は同ネットワーク接続機器のプリント基板図である。
【００３１】
無線端末１はこれまでの実施の形態と同様であり、内部にはアンテナ部２と無線部３（図示せず）とを有しており、本体４は前記無線端末１を収納可能な大きさに形成されている。
【００３２】
図９、図１０に示すように、本体４には端部である直方体のほぼ直交する３面にわたって、凹部５が形成されており、凹部５の大きさは、無線端末１の長さ方向の約半分が嵌まり合う程度が好ましいが、特に限定をするものではない。
【００３３】
本体４は、直方体に限定されるものではなく、適宜カーブが設けられたものや、曲面を利用したデザインであっても良い。
【００３４】
さらに、凹部５の奥側面側５ａには無線端末１が本体４内に挿入可能な開口部６を形成している。
【００３５】
また、前記凹部５は無線端末１が本体４に接続及び固定された際に、無線端末１を指でつかむことができる程度あることが好ましいが、特に限定をするものではない。
【００３６】
本体４の内部には、プリント基板７を保持してあり、このプリント基板７には、無線端末１の後面部１ａに備えられた無線端末のコネクター部８と電気的接続が可能な本体のコネクター部９をプリント基板の端部に配置及び実装している。さらに、無線端末１が本体４に接続及び固定された際に無線端末１のアンテナ部２及び無線部３と前記プリント基板７との重なる部分に導体部を設けていない部分１０（電気部品、電源、グランド、信号パターン等の全てを含む）を前記プリント基板の端部に備える。尚、プリント基板７の導体部を設けない部分１０はプリント基板７の表層（表裏）及び内層全てである。
【００３７】
この時、導体部を設けていない部分１０の大きさは、少なくとも無線端末１のアンテナ部２及び無線部３の大きさよりも大きくする必要がある。
【００３８】
以上の構成において、無線端末１は本体４の端部に設けられた凹部５に嵌め込まれ、かつ、後面部１ａを開口部６に挿入し、無線端末１の後面部１ａに備えられた無線端末のコネクター部８を本体４の内部に保持されたプリント基板７の端部に配置された本体のコネクター部９と接続することにより、本体４の凹部に固定される。この無線端末１が本体４に固定された状態で、本体４の内部に保持されたプリント基板７にて信号処理されたデータが無線端末１を通じて送信され、無線端末１から入力された信号が本体４の内部のプリント基板７にて信号処理される。この時、本体４内部に保持されたプリント基板７の端部に配置された導体部を設けていない部分１０により、前記プリント基板７の回路が無線端末１のアンテナ部２及び無線部３に対し、より離れた位置に配置されている為、アンテナ部２への影響を抑えることができ、かつ無線端末１はプリント基板７からの電気的ノイズに影響されることなく常に正常に動作することができる。
【００３９】
さらに、本体４を壁掛け、縦置き及び横置きに設置した時でも、本体４内のプリント基板７の回路と無線端末１のアンテナ部２及び無線部３の距離は常に一定であり、無線の動作に変化はない。
【００４０】
このように無線端末１は、本体４の凹部５内に接続および固定され、無線端末１の本体４への着脱性を損なわず、さらに本体４内部に保持されたプリント基板７の一部に導体部を設けていない部分１０端部に備えることにより、無線端末１を本体４に接続及び固定した際に、本体４内部のプリント基板７から無線端末１のアンテナ部２及び無線部３への電気的ノイズ等の影響を防止することができ、無線端末１の到達距離及び指向性の性能劣化を容易に防止することができるとともに、導体部を設けない部分の面積のコンパクト化を図ることができるため、プリント基板７の実装部品のレイアウト及びパターンのレイアウトを効率化が達成でき、基板全体のコンパクト化及びコストダウンが行えるという効果を有する。
【００４１】
（実施の形態４）
図１１は本発明の実施の形態４に係わるネットワーク接続機器の外観斜視図、図１２は同ネットワーク接続機器のプリント基板図である。
【００４２】
本実施の形態は、前記実施の形態３の構成において、本体４内部に保持されたプリント基板７の一部を切り欠いた構成に特徴を有する。無線端末１はこれまでの実施の形態と同様であり、内部にはアンテナ部２と無線部３（図示せず）とを有しており、本体４は前記無線端末１を収納可能な大きさに形成されている。
【００４３】
図１１、図１２に示すように、無線端末１を本体４の端部に備えられた凹部５の開口部６を通して本体４内部に保持されたプリント基板７の端部に配置及び実装された本体のコネクター部９に接続固定された時、無線端末１のアンテナ部２および無線部３のプリント基板７とが重なる部分に切り欠き部分１１をプリント基板７の端部に備えている。
【００４４】
尚、本体４のプリント基板７の切り欠き面積については本実施の形態では無線端末１のアンテナ部２及び無線部３の面積以上が必要である。
【００４５】
このように本実施の形態においては、本体４内部に保持されたプリント基板７の端部の一部を切り欠き部分１１を備えることにより、プリント基板を形成する誘電体材料の影響も無くすことができ、無線端末１の到達距離の性能劣化を容易に防止することができるとともに、切り欠き部分の面積のコンパクト化を図ることができるため、プリント基板７の実装部品のレイアウト及びパターンのレイアウトを効率化が達成でき、基板全体のコンパクト化及びコストダウンが行えるという効果を有する。
【００４６】
さらに、図１１、図１２に示すように、本体４の端部に有線インターフェース１２を集約して設け、前記端部の相反する本体の端部である直方体のほぼ直交する３面にわたって、凹部５を備えることにより、無線端末１と電気的接続及び固定する本体のコネクター部９と有線インターフェース１２の間に他の回路及び電気部品を効率的に配置できるようになり、さらなるプリント基板７の実装部品のレイアウト及びパターンのレイアウトの効率化、及び基板全体のコンパクト化及びコストダウンが行えるという効果を有する。
【００４７】
（実施の形態５）
図１３は、本発明の実施の形態５に係わるネットワーク接続機器の本体とアンテナ装置の外観斜視図である。
【００４８】
本実施の形態は、前記実施の形態３及び実施の形態４の構成において、本体４外部にアンテナ装置１３を設け、無線端末１と接続させる構成に特徴を有する。
【００４９】
すなわち図１３に示すように、本体４外部にはケーブル１４を有するアンテナ装置１３が備えられ、設置場所を特定しない。更に前記ケーブル１４の先端部１５には無線端末１と接続可能なアンテナ装置のコネクター１６が備えられており、無線端末１にも前記アンテナ装置のコネクター１６と接続可能な無線端末のコネクター１７(ここでは図示しない)が備えられている。
【００５０】
以上の構成において、無線端末１を本体４に接続固定し、アンテナ装置１３に接続されたケーブル１４の先端部１５にあるアンテナ装置のコネクター１６と無線端末１のコネクター１７を接続させることにより、アンテナ装置１３が無線端末１のアンテナとしての動作する構成とする。尚、アンテナ装置１３を無線端末１に電気的に接続させた場合、無線端末１のアンテナ部２は動作しないよう、電気回路に施されている。
【００５１】
このように本実施の形態においては、本体４外部のアンテナ装置１３は無線端末１に比べ携帯性を必要としない為、サイズを考慮することなく性能重視のアンテナとして使用できるため、本体４のデザインに影響を与えずに無線の到達距離が向上するという効果と、さらに本体４に接続及び固定された無線端末１とはケーブル１４にて接続されている為、本体４の設置方法、設置場所に関係なくアンテナ装置１３を自由に設置できる為、本体４の壁掛け、縦置き及び横置きのレイアウトフリーを容易に達成することができるという効果を有する。
【００５２】
（実施の形態６）
図１４は、本発明の実施の形態６に係わるネットワーク接続機器の本体とアンテナ装置の外観斜視図である。
【００５３】
本実施の形態は、前記実施の形態１から実施の形態５の構成において、本体４の内部に保持されているプリント基板７には、無線端末１が本体４の凹部５内から突き出ることなく本体に接続及び固定可能な位置に本体のコネクター部９が配置及び実装されており、無線端末１及び無線端末１を接続及び固定する本体４の凹部５を覆い本体外観の表面となるカバー部１８と、アンテナ装置１３と無線端末１を接続するケーブル１４を配線する為の開口部１９を本体４の凹部５に備えた構成に特徴を有する。
【００５４】
すなわち図１４に示すように、本体４の凹部５の内部に接続及び固定された無線端末１と凹部５を覆うことが可能な断面L字上のカバー部１８を備え、本体４の凹部５には無線端末１の接続及び固定収納した際に重ならない位置に、本体４の背面部２０への開口部１９が設けられており、この開口部１９の大きさはアンテナ装置１３のケーブル１４とケーブル１４の先端部１５に備えられたアンテナ装置のコネクター１６が挿抜可能な大きさに設定されている。
【００５５】
以上の構成において、本体４の凹部５内に無線端末１を接続及び固定した状態において、無線端末１と本体４の凹部５をカバー部１８は完全に覆うことが可能である。また、無線端末１を接続していない場合でも、カバー部１８にて覆うことは当然ながら可能である。
【００５６】
また、無線端末１を本体４に接続及び固定し、アンテナ装置１３に接続されたケーブル１４の先端部１５にあるアンテナ装置のコネクター１６を無線端末１と接続させ、ケーブル１４を本体４の凹部５に備えられた開口部１９に挿入させ、本体４の背面部２０である外部へ配線し、カバー部１８を本体４に取り付ける。
【００５７】
さらに、無線端末４はカバー部１８にて覆われているため、無線端末１の動作による発熱はカバー部１８内、及び本体４内へ放射することになるが、本体４の凹部５に備えられた開口部１９により、放射熱は本体４外部へ逃げることになる。
【００５８】
このように本実施の形態においては、カバー部１８を設けたことにより、無線端末１を接続するための本体４の開口部６からの異物の混入を防止すると共に、無線端末１と凹部５を覆うことで本体４のデザイン性の向上が容易に達成でき、本体４表面からケーブル１４が飛び出すことなく、アンテナ装置１３へのケーブル１４を開口部１９を介して本体４の背面部２０の外部へ配線することにより、本体４のデザイン性を損なわないという作用と、無線端末１の発熱を開口部１９へ逃がすことにより、本体４内部へ放射する熱による影響を取り除くという効果を有する。
【００５９】
（実施の形態７）
図１５は、本発明の実施の形態７に係わるネットワーク接続機器の本体背面部の外観斜視図である。
【００６０】
この実施の形態は前記実施の形態６の構成において、開口部１９を介して本体４の背面部２０である外部へケーブル１４を配線する溝部２１とケーブル１４をクランプするための凸部２２を本体４の背面部２０に備えた構成に特徴を有する。
【００６１】
すなわち図１４、図１５に示すように、本体４の凹部５には無線端末１の接続及び固定した際に重ならない位置に、本体４の背面部２０への開口部１９が設けられており、さらに本体４の背面部２０には開口部１９と本体４端部につながると共に、ケーブル１４の直径の大きさよりも大きく設定された溝部２１とケーブル１４をクランプする凸部２２が施されている。なお、クランプするための凸部２２の数はいくつ有ってもかまわない。
【００６２】
以上の構成において、無線端末１を本体４に接続及び固定し、アンテナ装置１３に接続されたケーブル１４の先端部１５にあるアンテナ装置のコネクター１６を無線端末１と接続させ、ケーブル１４を本体４の凹部５に備えられた開口部１９に挿入させ、本体４の背面部２０へ配線し、さらに溝部２１を通して本体４外部へ配線する。この時、溝部２１からケーブル１４が飛び出さないように溝部２１内に設けられた凸部２２にケーブル１４をクランプする。
【００６３】
また、カバー部１８を本体４に取り付けることにより、本体４外部からは無線端末１とアンテナ装置１３を接続するケーブル１４を隠すことが可能となる。
【００６４】
このように本実施の形態においては、本体４表面からケーブル１４が飛び出すことなく、アンテナ装置１３へのケーブル１４を開口部１９及び溝部２１を介して本体４の背面部２０を通して、本体４の外部へ配線することにより、本体４のデザイン性を損なわないという作用と、本体４を壁掛け及び横置きに設置した際に、ケーブル１４が壁、机または床と本体に挟まることにより本体４の設置が不安定になるなどを防止するという効果を有する。
【００６５】
（実施の形態８）
図１６は、本発明の実施の形態８に係わるネットワーク接続機器の外観正面図である。
【００６６】
この実施の形態は前記実施の形態１から実施の形態４、及び実施の形態６の構成において、無線端末１を凹部５の奥側面部５ａに設けられた開口部６を通して本体４に接続及び固定する際に、無線端末１の本体４への挿入を容易にするガイドのリブ２３を備えた構成に特徴を有する。
【００６７】
すなわち図１６に示すように、本体４の凹部５には無線端末１を本体内に挿入する際に、本体４の開口部６へのガイドのリブ２３が施されている。
【００６８】
以上の構成において、無線端末１を本体４に接続及び固定する際に、本体４の凹部５の奥側面５ａに設けられた開口部６へのガイドのリブ２３に沿って無線端末１を挿入する。
【００６９】
このため、本体４のどのような方向からでもガイドのリブ２３に沿って無線端末１を挿入することが可能となる。
【００７０】
このように本実施の形態においては、無線端末１を本体４に設けた凹部５の奥側面５ａの開口部６に挿入する際に凹部５に設けられたガイドのリブ２３により、本体のコネクター部９への挿入及び接続する作業性が向上するという効果を有する。
【００７１】
尚、ガイドのリブ２３は開口部６に対して両側でも、片側でも良い。
【００７２】
（実施の形態９）
図１７は、本発明の実施の形態９に係わるネットワーク接続機器の横断面図、図１８は、同ネットワーク接続機器の縦断面図である。
【００７３】
この実施の形態は前記実施の形態１から実施の形態４、及び実施の形態６の構成において無線端末１を接続及び固定する本体４内部に保持されたプリント基板７上の本体のコネクター部９の周辺部を取り囲むリブ２４を本体４内側に備えた構成に特徴を有する。
【００７４】
図１７、図１８に示すように、無線端末１を本体４のプリント基板７上に実装された本体のコネクター部９に接続及び固定した際に、本体４の筐体の内側から前記本体のコネクター部９の周辺部及び無線端末１の周辺部を取り囲むようにプリント基板７の方向にリブ２４を設ける。この時、リブ２４とプリント基板７との間隔は可能な限り小さいことが望ましく、可能であれば接触させても良い。
【００７５】
以上の構成において、無線端末１が動作する際の放射熱は、このリブ２４により無線端末１が本体４内に配置されている空間内に留まることから、放射熱の本体４内の他への影響を軽減できるという効果を有すると共に、無線端末１が接続されていない時の開口部６、及び無線端末１が挿入されている時の開口部６と無線端末１の隙間からの異物による本体４内部への混入を防止できるという効果を有する。
【００７６】
（実施の形態１０）
この実施の形態は前記実施の形態１から実施の形態４、及び実施の形態６の構成において本体４の端部に設けられた有線インターフェース１２の端面に各種ケーブル２５が挿入可能な開口部２６を備えた構成に特徴を有する。
【００７７】
図１４、図１５に示すように、無線端末１を接続及び固定する相反する端面に有線インターフェース１２を集約させ、その端面と直交する面に各種ケーブル２５が挿入可能な開口部２６を設ける。
【００７８】
尚、前記開口部２６の形状については完全に閉じた状態の開口形状であっても良いし、開口部２６の一部が解放された形状及び前記解放された部分の形状がヒンジ部を有するような開口形状であっても良い。
【００７９】
以上の構成において、本体４の端面に集約された有線インターフェース１２に各種ケーブル２５を挿入する際に、前記開口部２６に各種ケーブル２５を挿入し、本体４外４部へ配線する。
【００８０】
このように本実施の形態においては、本体４表面から各種ケーブル２５が飛び出すことなく、各種ケーブル２５を開口部２６によりクランプすることができることから、本体４のデザイン性を損なわないという効果と、本体４を壁掛け、縦置き及び横置きに設置したいずれの際にも、確実に各種ケーブル２５をクランプでき、各種ケーブル２５を壁、机または床と本体に挟まることにより本体４の設置が不安定になるなどを防止するという効果を有する。
【００８１】
【発明の効果】
以上にように本発明によれば、無線及び有線にて通信可能なネットワーク接続機器であって、アンテナ部及び無線部を備えた無線端末を嵌め合わせ可能な凹部を本体のほぼ直行する少なくとも２面または３面にわたって形成すると共に、この凹部の奥側面に開口部を形成し、無線端末を凹部の開口部を通して本体の内部へ挿入して本体内に保持されたプリント基板に電気的接続及び固定可能とし、無線端末を本体内に電気的接続及び固定した際に、プリント基板の少なくとも無線端末のアンテナ部及び無線部と重なる部分は内外層共に導体部を設けない、または切り欠き部を設けることによって、無線端末を本体に接続及び固定した際に、アンテナ部に対する影響を抑えることができ、また本体内部のプリント基板から無線端末のアンテナ部及び無線部への電気的ノイズ等の影響を防止することができ、無線端末の到達距離及び指向性の性能劣化を容易に防止することができる。さらに、プリント基板に切り欠き部を設けるという構成にした場合、プリント基板を形成する誘電体材料の影響を無くすこともできる。
【図面の簡単な説明】
【図１】本発明の実施の形態１に係わるネットワーク接続機器の外観斜視図
【図２】本発明の実施の形態１に係わるネットワーク接続機器の縦断面図
【図３】本発明の実施の形態１に係わるネットワーク接続機器の横断面図
【図４】本発明の実施の形態１に係わるネットワーク接続機器のプリント基板図
【図５】本発明の実施の形態２に係わるネットワーク接続機器の外観斜視図
【図６】本発明の実施の形態２に係わるネットワーク接続機器の縦断面図
【図７】本発明の実施の形態２に係わるネットワーク接続機器の横断面図
【図８】本発明の実施の形態２に係わるネットワーク接続機器のプリント基板図
【図９】本発明の実施の形態３に係わるネットワーク接続機器の外観斜視図
【図１０】本発明の実施の形態３に係わるネットワーク接続機器のプリント基板図
【図１１】本発明の実施の形態４に係わるネットワーク接続機器の外観斜視図
【図１２】本発明の実施の形態４に係わるネットワーク接続機器のプリント基板図
【図１３】本発明の実施の形態５に係わるネットワーク接続機器の本体とアンテナ装置の外観斜視図
【図１４】本発明の実施の形態６に係わるネットワーク接続機器の本体とアンテナ装置の外観斜視図
【図１５】本発明の実施の形態７に係わるネットワーク接続機器の本体背面部の外観斜視図
【図１６】本発明の実施の形態８に係わるネットワーク接続機器の外観正面図
【図１７】本発明の実施の形態９に係わるネットワーク接続機器の横断面図
【図１８】本発明の実施の形態９に係わるネットワーク接続機器の縦断面図
【図１９】従来のネットワーク接続機器の外観斜視図
【図２０】従来のネットワーク接続機器の横断面図
【符号の説明】
１  無線端末
１ａ  後面部
２  アンテナ部
３  無線部
４  本体
５  凹部
５ａ  奥側面部
６  開口部
７  プリント基板
８  無線端末のコネクター部
９  本体のコネクター部
１０  導体部を設けていない部分
１１  切り欠き部分
１２  有線インターフェース
１３  アンテナ装置
１４  ケーブル
１５  先端部
１６  アンテナ装置のコネクター
１７  無線端末のコネクター
１８  カバー部
１９  開口部
２０  背面部
２１  溝部
２２  凸部
２３  ガイドのリブ
２４  リブ
２５  ケーブル
２６  開口部
２７  側面部
【図１】
0004501245.tif 000002
【図２】
0004501245.tif 000003
【図３】
0004501245.tif 000004
【図４】
0004501245.tif 000005
【図５】
0004501245.tif 000006
【図６】
0004501245.tif 000007
【図７】
0004501245.tif 000008
【図８】
0004501245.tif 000009
【図９】
0004501245.tif 000010
【図１０】
0004501245.tif 000011
【図１１】
0004501245.tif 000012
【図１２】
0004501245.tif 000013
【図１３】
0004501245.tif 000014
【図１４】
0004501245.tif 000015
【図１５】
0004501245.tif 000016
【図１６】
0004501245.tif 000017
【図１７】
0004501245.tif 000018
【図１８】
0004501245.tif 000019
【図１９】
0004501245.tif 000020
【図２０】
0004501245.tif 000021